(57)【要約】【課題】動物の滑り動作に基づく床材表面の滑り性を、定量的な指標を用いて評価することができる方法を提供する。【解決手段】床材１の傾斜角度θを傾斜手段２により変化させ、床材１の表面１ａに乗った被験動物３の筋電位測定部３ａの筋電位を被験動物３の筋電位測定部３ａに装着した筋電位測定手段４により測定し、床材１の傾斜角度θと被験動物３の筋電位測定部３ａの筋電位振幅とから床材１の表面１ａの滑り性を評価する。【選択図】図１
2016057078.tif 000002
【特許請求の範囲】
【請求項１】
床材の傾斜角度を傾斜手段により変化させ、前記床材の表面に乗った被験動物の筋電位測定部の筋電位を前記被験動物の前記筋電位測定部に装着した筋電位測定手段により測定し、前記床材の傾斜角度と前記被験動物の前記筋電位測定部の筋電位振幅とから前記床材の表面の滑り性を評価することを特徴とする床材表面の滑り性評価方法。
【発明の詳細な説明】
【技術分野】
【０００１】
本発明は、床材表面の滑り性評価方法に関する。
【背景技術】
【０００２】
従来より、各種用途に応じて様々な仕様要求を満たすような床材の開発が行われており、利用対象である人間の動作を基準とした性能評価および改善等が行われている。
【０００３】
一方で、人間の生活様式が多様化し、イヌやネコ等の動物を屋内で飼育することが一般的となるにつれて、床材に求められる性能も、その利用対象が人間に限られないようになっている。例えば、動物を屋内で飼育する場合には、動物の動作に対する耐滑り性に優れた床材が求められる。
【０００４】
そこで、これまでにも、動物が滑り難い床材が提案されている。例えば、特許文献１では、イヌ、ネコ、トカゲ、カメ等の動物を室内にて飼うときにおける、動物が歩いても滑りにくい床材が提案されている。また、特許文献２では、イヌ、ネコ等の動物のように軽量物においても防滑性に優れた化粧シートが提案されている。
【先行技術文献】
【特許文献】
【０００５】
【特許文献１】特開２００６−２５１８号公報
【特許文献２】特開２０１１−９３２９８号公報
【発明の概要】
【発明が解決しようとする課題】
【０００６】
しかしながら、イヌ等の動物を用いた床材の性能試験では、専ら人間の目視観察に依存した定性的な指標による評価が行われている。例えば、特許文献１に記載の床材の性能評価においては、恒温恒湿室の中に床材を設置し、その上に２匹のイヌを歩かせ、そのイヌの様子を人間が観察して、「滑る」、「滑らない」または「滑らないが躓きやすい」のうちのいずれかを判定している。また、特許文献２に記載の化粧シートの評価試験においては、化粧シートをフロア加工し、小型および中型のイヌに歩行、通常走行、跳躍および反復運動をさせて、足元のふらつきや滑りの有無を観察している。このような定性的な指標による評価の場合、観察者による評価のバラツキ等が生じることが懸念される。
【０００７】
一方で、床材等の材料の滑り性を表す指標のひとつとして、摩擦係数（静的摩擦係数・動的摩擦係数）が挙げられ、摩擦係数の測定の規格としては、例えば、JIS K 7125、JIS P 8147、ASTM D 1894等が知られている。例えば、特許文献１には、積層される化粧シートの表面と合成繊維との間の動的摩擦係数を０．２〜０．７の間にすると、イヌ、ネコ等の動物が歩いても滑りにくいことが記載されている。しかしながら、人間の滑り動作と摩擦係数との関係性は勿論のこと、人間以外のイヌ、ネコ等の動物の滑り動作と摩擦係数との関係性は、現在のところ十分に解明されているとは言えない。このように、現状においては、動物の滑り動作に基づく滑り性の評価方法として確立された手法は存在していない。
【０００８】
したがって、前記のように動物の観点を取り入れた床材の開発や性能評価等、各種の改善提案がなされていても、依然として、動物の滑り動作に基づく床材表面の滑り性を、定量的な指標を用いて評価することができる滑り性評価方法が求められていた。
【０００９】
本発明は、以上のとおりの事情に鑑みてなされたものであり、動物の滑り動作に基づく床材表面の滑り性を、定量的な指標を用いて評価することができる方法を提供することを課題とする。
【課題を解決するための手段】
【００１０】
上記の課題を解決するために、本発明の床材表面の滑り性評価方法は、床材の傾斜角度を傾斜手段により変化させ、前記床材の表面に乗った被験動物の筋電位測定部の筋電位を前記被験動物の前記筋電位測定部に装着した筋電位測定手段により測定し、前記床材の傾斜角度と前記被験動物の前記筋電位測定部の筋電位振幅とから前記床材の表面の滑り性を評価することを特徴とする。
【発明の効果】
【００１１】
本発明によれば、動物の滑り動作に基づく床材表面の滑り性を、定量的な指標を用いて評価することができる方法を提供することができる。
【図面の簡単な説明】
【００１２】
【図１】本発明の床材表面の滑り性評価方法の一実施形態を実施するための装置の構成を模式的に例示した概略図である。
【図２】本発明の床材表面の滑り性評価方法の一実施形態によって得られる床材の傾斜角度、被験動物の筋電位測定部の筋電位振幅、およびビデオ画像との関係を模式的に例示したグラフである。
【発明を実施するための形態】
【００１３】
以下、本発明の実施形態について、図面を参照しつつ説明する。
【００１４】
図１は、本発明の床材表面の滑り性評価方法の一実施形態を実施するための装置の構成を模式的に例示した概略図である。本実施形態では、床材１の傾斜角度θを傾斜手段２により変化させ、床材１の表面１ａに乗った被験動物３の筋電位測定部３ａの筋電位を被験動物３の筋電位測定部３ａに装着した筋電位測定手段４により測定する。そして、床材１の傾斜角度θと被験動物３の筋電位測定部３ａの筋電位振幅とから床材１の表面１ａの滑り性を評価する。
【００１５】
床材１は、傾斜手段２により、傾斜角度θが変化する。傾斜手段２としては、床材１の傾斜角度θを変化させることができるものであれば特に限定されない。図１に例示した実施形態では、床材１は、基部２ａと可動部２ｂを備える傾斜手段２の、可動部２ｂの表面に設置されている。基部２ａと可動部２ｂとは、連結部２ｃにおいて、基部２ａの一方の側端部と可動部２ｂの一方の側端部とが連結されている。基部２ａの他方の側端部寄りの部分には、高さ調整部２ｄが設けられている。高さ調整部２ｄは、伸縮可能な構成であり、高さ調整部２ｄが伸びると、可動部２ｂの他方の側端部が押し上げられて、床材１の傾斜角度θが増加する。反対に、高さ調整部２ｄが縮むと、可動部２ｂの他方の側端部が下がり、床材１の傾斜角度θが減少する。床材１の傾斜角度θは、図１に例示するように、傾斜手段２の可動部２ｂの他方の側端部側の表面に設けられ、かつ電子計算機６に電気的に接続された角度計５の数値を検出するか、または傾斜手段２の高さ調整部２ｄの高さ寸法ｈを用いて得ることができる。
【００１６】
床材１の表面１ａには、被験動物３が乗っている。本実施形態において、被験動物３としては、人間は含まれず、例えば、イヌ、ネコ等の動物が挙げられるが、これらに限定されない。
【００１７】
被験動物３は、筋電位測定部３ａに筋電位測定手段４の電極４ａを装着している。
【００１８】
筋電位測定手段４としては、例えば、筋電計が挙げられるが、これに限定されない。筋電計を用いる場合には、被験動物３の筋電位測定部３ａの皮膚表面に電極を貼り付けて筋電位を測定してもよく、筋電位測定部３ａの筋に針状の電極を刺入して筋電位を測定してもよい。筋電位測定手段４は、図１に例示するように、電子計算機６に電気的に接続されている。
【００１９】
被験動物３の筋電位測定部３ａとしては、例えば、被験動物３の右後足、左後足、右前足、左前足等の足部が挙げられるが、これらに限定されない。被験動物３の足部において、筋電位の測定対象とする筋としては、例えば、足指伸筋群、足指屈筋群、内転筋、下腿筋等が挙げられるが、これらに限定されない。筋電位の測定対象とする筋の選定にあたっては、予備実験として、例えば、床材１の傾斜角度θが０度の状態で、被験動物３に床材１の表面１ａを歩行させてもよい。この場合には、例えば、筋電位測定手段４の電極４ａの装着のために被験動物３の筋電位測定部３ａの皮膚前処理が容易であること、筋電位測定部３ａにおいて筋電位測定手段４の電極４ａの間の距離を一定に保てること等が好ましく考慮される。なお、筋電位測定部３ａおよび筋電位の測定対象とする筋は、必要に応じて、２つ以上を選択して組み合わせてもよい。例えば、同一の足部における２つ以上の筋を組み合わせてもよく、右足と左足、前足と後足等、異なる足部における筋を組み合わせてもよい。
【００２０】
被験動物３の筋電位測定部３ａの筋電位の測定は、被験動物３が床材１の表面１ａに乗った状態で、床材１の傾斜角度θを変化させながら連続的に測定することができる。あるいは、床材１の傾斜角度θを所定の角度に設定した後、被験動物３を床材１の表面１ａに乗せて、筋電位測定部３ａの筋電位を測定してもよい。このようにして、床材１の傾斜角度θにおける被験動物３の筋電位測定部３ａへの負荷状態、すなわち、被験動物３の筋電位測定部３ａの運動状態が計測される。
【００２１】
筋電位測定手段４により測定された被験動物３の筋電位測定部３ａの筋電位は、電子計算機６にインプットされ、解析手段６ａによって筋電図が作成される。解析手段６ａは、例えば、電子計算機用のアプリケーションソフトとして、電子計算機６にインストールされたものであり得る。解析手段６ａでは、角度計５の数値または傾斜手段２の高さ調整部２ｄの高さ寸法ｈを用いて得られた床材１の傾斜角度θの値を、被験動物３の筋電位測定部３ａの筋電位と同時に入力（同期）可能であることが好ましい。また、解析手段６ａでは、後述するビデオ画像撮像手段７から得られたビデオ画像を同期可能であることが好ましい。
【００２２】
図２は、本発明の床材表面の滑り性評価方法の一実施形態によって得られる床材の傾斜角度、被験動物の筋電位測定部の筋電位振幅、およびビデオ画像との関係を模式的に例示したグラフである。本実施形態では、床材１の傾斜角度θと被験動物３の筋電位測定部３ａの筋電位振幅とから、床材１の表面１ａの滑り性を評価する。
【００２３】
一般に、筋電図の解析において、筋電位振幅の大きさは量的因子の解析と位置付けられる。例えば、筋電位振幅が大きくなる現象は、被験動物３の筋電位測定部３ａにおいて発生している筋電位の数が多いことを示す。つまり、被験動物３の筋電位測定部３ａにおいて収縮している筋線維数が多いことを示す。動物が滑り動作を生じた場合には、その滑りに対して留まろうとする動作が生じ、滑り動作を生じていない状態よりも多くの筋線維が収縮すると考えられる。本実施形態では、床材１の表面１ａにおける被験動物３の滑り動作を、筋電位振幅によって検出し、床材１の傾斜角度θとの関係から、床材１の表面１ａの滑り性を評価する。
【００２４】
例えば、床材１の傾斜角度θが０度で、かつ被験動物３が静止した状態で測定した、被験動物３の筋電位測定部３ａの筋電位振幅を基準とする。そして、床材１の傾斜角度θを増加させ、被験動物３の筋電位測定部３ａの筋電位振幅が所定の値を超えた場合に、滑り動作を生じたものとし、床材１の傾斜角度θとの関係をグラフ上にプロットすることができる。
【００２５】
また、例えば、床材１の傾斜角度θを０度とし、床材１の表面１ａを被験動物３に歩行させたときの被験動物３の筋電位測定部３ａの筋電位振幅を基準とする。そして、床材１の傾斜角度θを所定の値に設定し、床材１の表面１ａを被験動物３に歩行させたときの被験動物３の筋電位測定部３ａの筋電位振幅の変化量を測定する。このようにして、床材１の傾斜角度θと、被験動物３の筋電位測定部３ａの筋電位振幅の変化量とをグラフ上にプロットすることができる。
【００２６】
なお、筋電位振幅の算出にあたっては、一般に公知の方法によって、筋電図波形の処理が行われる。例えば、整流または二乗平均平方根（Root Mean Square、RMS）処理を行った後、平均振幅、積分値等で定量化される。このような筋電位振幅の算出処理は、電子計算機６の解析手段６ａによって実行される。
【００２７】
また、本実施形態においては、ビデオカメラ等のビデオ画像撮像手段７を用いて被験動物３の身体全体の様子等を撮像し、得られたビデオ画像と組み合わせて、床材１の表面１ａの滑り性を評価することができる。
【００２８】
例えば、ビデオ画像における被験動物３の身体全体の様子を、「滑らない」、「やや滑る」、「滑る」等、複数の状態に分類し、それらの状態を「０」、「１」、「２」等に数値化してもよい。そして、これらの数値を電子計算機６の解析手段６ａにおいて同期させ、被験動物３の筋電位測定部３ａの筋電位振幅と組み合わせることにより、被験動物３の滑り動作をより正確に検出することができる。
【００２９】
また、例えば、床材１の側面部、傾斜手段２の可動部２ｂの側面部等、ビデオ画像撮像手段７で撮像可能な部分に一定間隔で目盛を設けた状態で、被験動物３の動作を撮像してもよい。このようにして得られたビデオ画像から、被験動物３の滑り動作の程度、例えば、被験動物３の足部の滑り幅を検出することができる。この滑り幅の変化量を、電子計算機６の解析手段６ａにおいて同期させて、床材１の表面１ａの滑り性を評価することができる。例えば、図２に示したように、足の踏み出し位置（接地位置）から次の足を踏み出すまでの間に、踏み出し位置から１ｍｍ以上１ｃｍ未満の滑り幅が生じた場合には「やや滑る」、１ｃｍ以上の滑り幅が生じた場合には「滑る」として、滑り動作の程度を分類することができる。
【００３０】
このように、ビデオ画像を用いて観察することのできる被験動物３の身体全体の様子等を組み合わせることにより、床材１の表面１ａの滑り性の評価精度をより向上させることができる。
【００３１】
なお、床材１の表面１ａの滑り性の評価精度をより向上させるために、例えば、筋電図から得られる筋活動の開始時間等の時間因子、筋疲労の判断等ができる周波数因子等を組み合わせてもよい。また、必要に応じて、被験動物３の心拍数の変化量等、その他の生体信号と組み合わせてもよい。この場合には、測定した生体信号は、電子計算機６の解析手段６ａにおいて同期可能であることが好ましく考慮される。
【００３２】
以上、本発明の実施形態を詳述してきたが、具体的な形態はこれらの実施形態に限られるものではなく、本発明の要旨を逸脱しない範囲における設計の変更等があっても本発明に含まれる。
【符号の説明】
【００３３】
１  床材
１ａ  表面
２  傾斜手段
３  被験動物
３ａ  筋電位測定部
４  筋電位測定手段
【図１】
2016057078.tif 000003
【図２】
2016057078.tif 000004